(57)【要約】  本発明は、少なくとも１つの光源（１２１、３２１、４２１、５２１）と光源によって発生された電磁放射線をフォトレジスト内に結合するための導光及び光混合要素（１１０、３１０、４１０、５１０）とを有するマイクロリソグラフィ処理でのウェーハ上に与えられたフォトレジストの後露光のためのマイクロリソグラフィ照明ユニットに関し、導光及び光混合要素は、第１の値をその最大間隔が有する互いに対向する側面の第１の対を有し、これらの側面上での電磁放射線の複数の反射が起こり、導光及び光混合要素は、第２の値をその最大間隔が有する互いに対向する側面の第２の対を有し、電磁放射線の光伝播方向での導光及び光混合要素の最大広がりは、第３の値を有し、この第３の値は、第１の値よりも大きく、かつ第２の値よりも小さい。【選択図】図１
2019522819.tif 000002
【特許請求の範囲】
【請求項１】
マイクロリソグラフィ処理でのウェーハ上に与えられたフォトレジストの後露光のためのマイクロリソグラフィ照明ユニットであって、
少なくとも１つの光源（１２１、３２１、４２１、５２１）と、
前記光源によって発生した電磁放射線を前記フォトレジスト内に結合するための導光及び光混合要素（１１０、３１０、４１０、５１０）と、
を有し、
この導光及び光混合要素（１１０、３１０、４１０、５１０）は、互いに対向する側面の第１の対を有し、その最大間隔は第１の値を有し、これらの側面上での前記電磁放射線の複数の反射が起こり、
前記導光及び光混合要素（１１０、３１０、４１０、５１０）は、互いに対向する側面の第２の対を有し、その最大間隔は第２の値を有し、
前記電磁放射線の光伝播方向での前記導光及び光混合要素（１１０、３１０、４１０、５１０）の最大広がりは、第３の値を有し、この第３の値は、前記第１の値よりも大きく、かつ前記第２の値よりも小さい、
照明ユニット。
【請求項２】
前記第２の値は、前記第１の値よりも少なくとも２倍、特に少なくとも５倍、より具体的には少なくとも１０倍だけ大きいことを特徴とする請求項１に記載の照明ユニット。
【請求項３】
前記電磁放射線は、前記第２の対の前記側面では反射されないことを特徴とする請求項１又は２に記載の照明ユニット。
【請求項４】
前記導光及び光混合要素（１１０、３１０、４１０、５１０）は、前記電磁放射線に対して透明である材料で作られた固体ブロックの形態に構成されることを特徴とする請求項１から３のいずれか１項に記載の照明ユニット。
【請求項５】
前記第１の対の前記側面での前記複数の反射は、少なくとも１つの内部全反射を含むことを特徴とする請求項１から４のいずれか１項に記載の照明ユニット。
【請求項６】
前記第１の対の前記側面は、ミラー面であることを特徴とする請求項１から４のいずれか１項に記載の照明ユニット。
【請求項７】
前記第１の対の前記側面は、それらが互いに平行であるようには配置されないことを特徴とする請求項１から６のいずれか１項に記載の照明ユニット。
【請求項８】
前記電磁放射線を測定するための少なくとも１つの強度センサ（１３１、３３１、４３１）を有することを特徴とする請求項１から７のいずれか１項に記載の照明ユニット。
【請求項９】
複数の光源（１２１、３２１、４２１、５２１）の光源配置（１２０、３２０、４２０、５２０）を有することを特徴とする請求項１から８のいずれか１項に記載の照明ユニット。
【請求項１０】
前記導光及び光混合要素（３１０）は、屈折力を備えた光出口面（３４０）を有することを特徴とする請求項１から９のいずれか１項に記載の照明ユニット。
【請求項１１】
前記導光及び光混合要素（５１０）は、回折又は屈折構造（５５０）を備えた光出口面を有することを特徴とする請求項１から１０のいずれか１項に記載の照明ユニット。
【請求項１２】
マイクロリソグラフィ投影露光方法であって、
少なくとも部分的にフォトレジストがその上に塗布された基板（４１）を設ける段階と、
照明デバイスと投影レンズとを有するマイクロリソグラフィ投影露光装置（１０）を設ける段階と、
複数の投影段階で前記投影露光装置によって各場合に１つのマスク構造を前記フォトレジストの領域の上に投影する段階と、
を含み、
これらの投影段階のうちの少なくとも１つの後に、請求項１から１１のいずれか１項に記載の照明ユニットを用いた前記フォトレジストの後露光が行われる、方法。
【発明の詳細な説明】
【技術分野】
【０００１】
〔関連出願への相互参照〕
この出願は、２０１６年６月２７日出願のドイツ特許出願ＤＥ  １０  ２０１６  ２１１  ５１１．１の優先権を主張するものである。この出願の内容は、これにより引用によって組み込まれる。
【０００２】
本発明は、マイクロリソグラフィ処理においてウェーハ上に与えられたフォトレジストの後露光(post-exposure)のためのマイクロリソグラフィ照明ユニットに関する。
【背景技術】
【０００３】
マイクロリソグラフィは、例えば、集積回路又はＬＣＤのような微細構造化構成要素を生成するのに使用される。マイクロリソグラフィ処理は、照明デバイスと投影レンズとを含むいわゆる投影露光装置において実施される。照明デバイスによって照明されたマスク（レチクル）の像は、この場合に、感光層（フォトレジスト）で被覆されて投影レンズの像平面に配置された基板（例えば、シリコンウェーハ）の上にマスク構造を基板の感光コーティングに転写するために投影レンズによって投影される。
【０００４】
ここで、電磁放射線の効率的な利用の目的に対してフォトレジストの感度を高めるために個々のリソグラフィ段階の後に各場合にウェーハの又はそこに位置付けられたフォトレジストの無構造照明（すなわち、構造化マスクを用いない）をマイクロリソグラフィ処理において実施することが公知である。単なる例として、この処理では３６５ｎｍの波長を有するＵＶ放射線を使用することが可能であり、マスク構造を転写することなく実施されるフォトレジストのそれぞれの照明は、典型的に、均一であるか又は比較的大きい空間波長（例えば、１ｍｍ未満のもの）にわたって小さい振幅変動（例えば、１０％未満）のみで変化するかのいずれかである強度分布を用いて達成される。
【０００５】
その結果、この追加照明（フォトレジストの「後露光」と呼ぶこともできる）に起因して、実際のリソグラフィ段階において放射される（例えば、ＥＵＶ）放射線のより良い利用及びしたがってマイクロリソグラフィ投影露光装置の高いスループットを取得することが可能である。
【０００６】
従来技術に関して、単なる例として非特許文献１を参照されたい。
【０００７】
上述のフォトレジストの追加照明又は「後露光」を実施することができるためには、追加照明ユニットが必要であり、その構成は、この後露光中にフォトレジスト内に結合される電磁放射線の強度、均一性、及び線量安定性に関する既存の要件に関して大いなる課題を表している。
【先行技術文献】
【非特許文献】
【０００８】
【非特許文献１】Ｓ．Ｔａｇａｗａ他著「光増感化学増幅レジスト（ＰＳ−ＣＡＲ）処理による超高感度強化（Ｓｕｐｅｒ  Ｈｉｇｈ  Ｓｅｎｓｉｔｉｖｉｔｙ  Ｅｎｈａｎｃｅｍｅｎｔ  ｂｙ  Ｐｈｏｔｏ−Ｓｅｎｓｉｔｉｚｅｄ  Ｃｈｅｍｉｃａｌｌｙ  Ａｍｐｌｉｆｉｅｄ  Ｒｅｓｉｓｔ  （ＰＳ−ＣＡＲ）  Ｐｒｏｃｅｓｓ）」、Ｊｏｕｒｎａｌ  ｏｆ  Ｐｈｏｔｏｐｏｌｙｍｅｒ  Ｓｃｉｅｎｃｅ  ａｎｄ  Ｔｅｃｈｎｏｌｏｇｙ、第２６巻第６号（２０１３年）８２５ページ
【発明の概要】
【発明が解決しようとする課題】
【０００９】
マイクロリソグラフィ処理でのスループットを高めるためにウェーハ上に位置するフォトレジストの可能な限り制御された恐らくは特に均一な後露光を比較的簡単な構成を用いて可能にするマイクロリソグラフィ照明ユニットを提供することが本発明の目的である。
【課題を解決するための手段】
【００１０】
この目的は、独立請求項１の特徴によって達成される。
【００１１】
マイクロリソグラフィ処理でウェーハ上に与えられるフォトレジストの後露光のための本発明によるマイクロリソグラフィ照明ユニットは、少なくとも１つの光源と、光源によって発生した電磁放射線をフォトレジスト内に結合するための導光及び光混合要素(light-guiding and light-mixing element)とを含み、導光及び光混合要素は、互いに対向する側面の第１の対を有し、その最大間隔は、第１の値を有し、これらの側面上での電磁放射線の複数の反射が起こり、導光及び光混合要素は、互いに対向する側面の第２の対を有し、その最大間隔は、第２の値を有し、電磁放射線の光伝播方向での導光及び光混合要素の最大広がりは、第３の値を有し、この第３の値は、第１の値よりも大きく、かつ第２の値よりも小さい。
【００１２】
一実施形態により、第２の値は、第１の値よりも少なくとも２倍、特に少なくとも５倍、より具体的には少なくとも１０倍だけ大きい。
【００１３】
本発明は、特に、後露光に使用される電磁放射線が望ましい（特に導光及び光混合又は均一化の両方の）効果を得るのに特に適切であるように選択された寸法を有する導光及び光混合要素を通じて結合される方式でのリソグラフィ処理における又は個々のリソグラフィ段階の後のフォトレジストの後露光のための照明ユニットを実施する概念に基づいている。
【００１４】
本発明による要素の導光器としての効果は、ここでは、特に、光源と後露光中に観察されることになるウェーハとの間の作動距離を比較的大きく選択することができ、その結果、第１に光源（例えば、ＬＥＤ配置）に生じるウェーハ又はフォトレジスト内へのパワー散逸に起因する望ましくない熱の導入と、同じく光源のドライバ電子機器の電界に起因するウェーハ上に生じるマイクロ電子回路に対する望ましくない影響又はそこでの変化とが回避されることである。
【００１５】
本発明による構成の別の利点は、電磁放射線を生成するのに使用される光源（例えば、ＬＥＤ配置）とウェーハの間の確実な分離が実施可能になることに起因する本発明による後露光中のウェーハの望ましくない汚染の回避又は減少にある。
【００１６】
本発明により、導光及び光混合要素の比較的短い広がりに沿った後露光に使用される放射線の「狭窄(constriction)」に対応する効果は、１又は複数の光源上への追加光学要素の比較的複雑で高価な取り付けをそのために必要とすることなく実質的に達成される。
【００１７】
その結果、本発明による照明ユニットは、ウェーハへの導光及び同じく光混合又は光均一化の２つの望ましい効果の組合せを達成するのに使用され、既に（少なくとも部分的に）構造化されたウェーハに対する望ましくない影響は、同時に回避される。
【００１８】
一実施形態により、電磁放射線は、第２の対の側面では反射されない。
【００１９】
一実施形態により、導光及び光混合要素は、電磁放射線に対して透明である材料で作られた固体ブロック(solid block)の形態に構成される。
【００２０】
一実施形態により、第１の対の側面での複数の反射は、少なくとも１つの内部全反射(total internal reflection)を含む。
【００２１】
一実施形態により、第１の対の側面はミラー面である。
【００２２】
一実施形態により、第１の対の側面は、互いに平行であるようには配置されない。
【００２３】
一実施形態により、照明ユニットは、電磁放射線を測定するための少なくとも１つの強度センサを有する。
【００２４】
一実施形態により、照明ユニットは、複数の光源からなる光源配置を有する。
【００２５】
一実施形態により、導光及び光混合要素は、屈折力を備えた光出口面を有する。
【００２６】
一実施形態により、導光及び光混合要素は、回折又は屈折構造を備えた光出口面を有する。
【００２７】
本発明は、更に、マイクロリソグラフィ投影露光方法に関し、本方法は、少なくとも部分的にフォトレジストがその上に塗布された基板を設ける段階と、照明デバイスと投影レンズとを有するマイクロリソグラフィ投影露光装置を設ける段階と、複数の投影段階で投影露光装置によって各場合に１つのマスク構造をフォトレジストの領域の上に投影する段階とを含み、これらの投影段階のうちの少なくとも１つの後に、上述の特徴を有する照明ユニットを用いたフォトレジストの後露光が行われる。
【００２８】
本発明の更に別の構成は、本発明の説明及び従属請求項から集めることができる。
【００２９】
本発明を添付図面に示す例示的実施形態に基づいて以下により詳細に説明する。
【図面の簡単な説明】
【００３０】
【図１】本発明の様々な実施形態を説明するための概略図である。
【図２】ａ）及びｂ）は、本発明の様々な実施形態を説明するための概略図である。
【図３】ａ）及びｂ）は、本発明の様々な実施形態を説明するための概略図である。
【図４】ａ）及びｂ）は、本発明の様々な実施形態を説明するための概略図である。
【図５】本発明の様々な実施形態を説明するための概略図である。
【図６】本発明の様々な実施形態を説明するための概略図である。
【図７】ＥＵＶ範囲内の作動に対して設計されたマイクロリソグラフィ投影露光装置の可能な構成を説明するための概略図である。
【発明を実施するための形態】
【００３１】
図７は、一例として与えられてＥＵＶ範囲での作動に対して設計された投影露光装置の概略図を示している。
【００３２】
図７により、ＥＵＶに対して設計された投影露光装置１０内の照明デバイスは、視野ファセットミラー３と瞳ファセットミラー４を含む。プラズマ光源１とコレクターミラー２とを含む光源ユニットからの光は、視野ファセットミラー３の上に向けられる。瞳ファセットミラー４の下流の光路内には第１のテレスコープミラー５及び第２のテレスコープミラー６が配置される。下流の光路内には、入射する放射線を６つのミラー２１〜２６を含む投影レンズの物体平面の物体視野上に向ける偏向ミラー７が配置される。物体視野の場所には、感光層（フォトレジスト）で被覆された基板４１がウェーハ台４０上に置かれた像平面に投影レンズによって結像される反射構造担持マスク３１がマスク台３０上に配置される。
【００３３】
個々のリソグラフィ段階の後にフォトレジスト又はウェーハの後露光（冒頭部で上述した）を実施するのに使用される本発明による照明ユニットの異なる実施形態をここで以下に説明する。この「後露光」により、実際のリソグラフィ段階において放射される（例えば、ＥＵＶ）放射線のより確実な利用及びしたがってマイクロリソグラフィ投影露光装置の高いスループットを得ることが可能である。
【００３４】
最初に、第１の実施形態における本発明による照明ユニットの構成及び機能を図１及び図２ａ〜図２ｂの概略画像を参照して以下に説明する。
【００３５】
図１により、第１の実施形態による照明ユニット１００は、例示的実施形態では本発明による後露光に使用される電磁放射線の波長範囲に対して（すなわち、例えば、３６５ｎｍの波長に対して）十分に透明であるブロックの形態に構成されるが本発明をこれに限定することのない導光及び光混合要素１１０を有する。
【００３６】
例示的実施形態では、このブロック又は導光及び光混合要素１１０は、石英ガラス（ＳｉＯ2）で生成される。更に別の実施形態では、対応する波長に対して透明である異なる適切な材料、例えば、フッ化カルシウム（ＣａＦ2）を使用することができる。
【００３７】
照明ユニット１００は、例示的実施形態では複数のＬＥＤ１２１の配置の形態にある光源配置１２０を有し、それらのＬＥＤ１２１は、例示的実施形態では導光及び光混合要素１１０を形成するブロックの光入射面に対応する側面上に装着される。
【００３８】
図２ａ〜図２ｂに最も明確に見ることができるように、ＬＥＤ１２１によって放出され、透明ブロックに入射する電磁放射線は、（ほぼ損失のない）内部全反射によって基板又はウェーハＷの方向に向けられる。
【００３９】
ここでは、導光及び光混合要素１１０を形成するブロックは、それが１つの方向（図２ａのｘ方向）に光源１２０又はＬＥＤ１２１とウェーハＷの間の距離と比較して大きい空間広がりを有し、かつこの方向に対して垂直な空間方向（図２ａのｙ方向）にこの広がりと比較して短い空間広がりを有するように、光伝播方向又はウェーハＷの位置を基準として配置される。
【００４０】
この構成は、導光及び光混合要素１１０を形成する比較的短い広がりに対応する空間方向（ｙ方向）の相互に対向するブロックの側面上での内部全反射により、光源配置１２０のＬＥＤ１２１から出る光線のこの方向への発散（単なる例として、３０°の半開口角に対応する）を引き起こし、図２ｂによるウェーハＷの近くまでの効率的な導光又は実質的に損失のない導光をもたらす。
【００４１】
それとは対照的に、比較的大きいブロック広がりを有する空間方向（ｘ方向）には、この方向の相互に対向するブロック側面上での反射は発生せず、この点で図２ａに記載の個々のＬＥＤ１２１から出る光線の良好な混合を提供する。
【００４２】
本発明は、上述した透明ブロックとしての導光及び光混合要素１１０の実施に限定されない。例えば、更に別の実施形態での関連の要素１１０は、通過する光のための筐体を形成する互いに対向する側壁から作られるハウジングの形態に構成することもでき、図２ｂに記載の反射のための役割を受け持つそれらの側壁は反射性のものである。
【００４３】
照明ユニット１００は、センサ配置１３０を更に有し、それは、例示的実施形態では、導光及び光混合要素１１０を形成するブロック上に与えられた傾斜面又は面取り面１１５に沿って配置されてそれぞれのＬＥＤ１２１によって放出された電磁放射線の強度をモニタするのに寄与する複数のフォトダイオード１３１から形成される。すなわち、個々のＬＥＤ１２１の輝度は、それぞれの電流要件に従って追加のコントローラによって調節することができる。
【００４４】
このコントローラは、特に、ＬＥＤ１２１の連続作動にわたるＬＥＤ１２１の熱平衡の定常的な維持が必要ではないので、リソグラフィ処理の中断期間中（例えば、ウェーハの交換中）にＬＥＤ１２１をオフに切り換えること（したがって、例えば、望ましくない散乱光を回避すること）を有利に可能にする。
【００４５】
上述のＬＥＤ１２１の輝度のモニタの別の利点は、個々のＬＥＤのあらゆる欠陥を即座に検出することができ、その結果、必要に応じて、不均一な照明及び関連のウェーハＷへの損傷を回避するために本発明による後露光を中断することができることである。
【００４６】
本発明は、上述のＬＥＤ１２１の配置の形態での光源配置１２０の実施に限定されない。更に別の実施形態では、例えば、放電ランプのような他の適切な光源を類似の方式で配置することができる。更に、単一の（例えば、ストリップ状の）光源を使用することもできる。
【００４７】
図３ａ〜図３ｂは、本発明の更に別の実施形態を示しており、類似か又は実質的に同じ機能を有する構成要素は、図１に対して「２００」だけ増した参照記号によって表示している。
【００４８】
図３ａ〜図３ｂの実施形態は、導光及び光混合要素３１０を形成するブロックのウェーハＷに対面する光出口面３４０に屈折力が与えられる点で図１及び図２ａ〜図２ｂのものとは異なる。図３ａ〜図３ｂの例示的実施形態では、光出口面３４０にこの目的で円筒形形状が与えられる。更に別の実施形態では、望ましい屈折力は、円筒形非球面によって実施するか又は光出口面３４０をフレネルレンズの形態に構成するか又は回折構造を有するように構成することによっても実施することができる。
【００４９】
光出口面３４０での屈折力は、導光及び光混合要素３１０を形成するブロックを出る電磁放射線のｙ方向に沿った平行化をもたらし、その結果、光出口面３４０とウェーハＷの間の作動距離とｙ方向（ウェーハの変位方向に従う）の照明広がりとの比を更に増大させることができる。したがって、ｙ方向の照明を更に拡幅する必要なくウェーハＷからの照明ユニット３００の距離を増大させることができる。
【００５０】
図４ａ〜図４ｂは、更に別の実施形態を示しており、ここでもまた、類似であるか又は実質的に同じ機能を有する構成要素は、図３ａ〜図３ｂに対して「１００」だけ増した参照記号によって表示している。
【００５１】
図４ａ〜図４ｂの実施形態は、ｙ方向に相互に対向する導光又は光混合要素４１０の２つの側面４１０ａ、４１０ｂが互いに平行であるようには整合せず、ある有限角度だけ傾斜される点で図１及び図２ａ〜図２ｂとは異なっている。この構成の結果は、側面４１０ａ、４１０ｂの一方での電磁放射線の各反射においてｚ方向に対する電磁放射線の角度が変化することであり、その結果、ｙ方向のビーム経路の平行化が同じく達成され、したがって、図３ａ〜図３ｂと同じく、ウェーハＷからの要素４１０の光出口面の作動距離の増大が可能になる。
【００５２】
本発明による照明ユニットを用いたフォトレジスト又はウェーハの照明のシミュレーションの結果を示す図６に示す図は、原理的にあらゆる望ましい強度分布を本発明による照明ユニットによって上述の実施形態に従って設定することができることを示すように意図したものである。
【００５３】
ここで、曲線「Ａ」は、光源配置の単一ＬＥＤによってｘ方向に生成される強度分布を表すことを可能にするガウス分布を示している。曲線「Ｂ」（同じくｘ方向に沿ってプロットしたものである）は、光源配置内の全てのＬＥＤのｘ方向に沿った（すなわち、「照明スリットの長辺」にわたる）強度の重ね合わせ又は総和によって取得可能である例示的プロファイルを示しており、ここで認識可能な局小値は、個々のＬＥＤを減光することによってターゲット様式で調節されている。そのような減光なしでも、したがって、フォトレジストにわたって実質的に一定の強度プロファイルを実施することも可能である。
【００５４】
図５は、更に別の実施形態による照明ユニット５００の概略図を示しており、ここでもまた、図４ａ〜図４ｂと類似又は実質的に機能的に同一構成要素は、「１００」だけ増した参照記号によって表示している。
【００５５】
図５に記載の実施形態は、ｘ方向に沿って（１次元的に）散在する構造５５０が、導光及び光混合要素５１０を形成するブロックのウェーハＷに対面する光出口面上に形成され、その結果、ウェーハＷの照明をｘ方向又は要素５１０の大きい方の広がりを有する空間方向に沿って不鮮明化することができ、したがって、照明の更に別の均一化を得ることができる点で図１及び図２ａ〜図２ｂからのものとは異なっている。拡散スクリーンとして機能する構造５５０は、回折構造として又は例えば小さいレンズ要素から（屈折効果に従って）構成することができる。
【００５６】
本発明を特定の実施形態に基づいて説明したが、当業者には、例えば個々の実施形態の特徴の組合せ及び／又は入れ替えによって多くの変形及び代替実施形態が明らかであろう。したがって、そのような変形及び代替実施形態が本発明によって同時に包含され、本発明の範囲が添付の特許請求の範囲及びその均等物の意味の範囲でのみ制限されることは当業者には当然のことである。
【図１】
2019522819.tif 000003
【図２ａ）】
2019522819.tif 000004
【図２ｂ）】
2019522819.tif 000005
【図３ａ）】
2019522819.tif 000006
【図３ｂ）】
2019522819.tif 000007
【図４ａ）】
2019522819.tif 000008
【図４ｂ）】
2019522819.tif 000009
【図５】
2019522819.tif 000010
【図６】
2019522819.tif 000011
【図７】
2019522819.tif 000012
【国際調査報告】
2019522819.tif 000013
2019522819.tif 000014